(57)【特許請求の範囲】
【請求項１】
用量設定機構と、設定用量を注射する注射動作を実行し得るボタンと、注射動作に応じて作動されるスイッチであって、ストップウォッチをリセットしてスタートさせてスイッチの作動から経過した時間を測定させるスイッチと、設定用量と最後に注射した用量とスイッチの作動からの経過時間などの適切なパラメーターを表示するための電子的表示手段とを有している注射器において、スイッチは注射動作の完了時に作動し、これにより電子的表示手段を起動させて針刺し放置時間を示すことを特徴とする注射器。
【請求項２】
針刺し放置時間が４ないし１０秒であることを特徴とする、請求項１に記載の注射器。
【請求項３】
電子的表示手段が電子的ディスプレイであることを特徴とする、請求項１または２に記載の注射器。
【請求項４】
ディスプレイは円を構成する相当数のセグメントを有し、ストップウォッチは、動作している間、一秒毎に一以上のセグメントを起動させることを特徴とする、請求項３に記載の注射器。
【請求項５】
セグメントの数が１２であることを特徴とする、請求項４に記載の注射器。
【請求項６】
ストップウォッチは、動作している間、スイッチが作動された直後に一秒経過する毎に、全てのセグメントが起動されるまで、一以上のセグメントを起動させ、その後、セグメントの起動を終了させ、スイッチの作動から一時間経過する毎にひとつのセグメントを再び起動させることを特徴とする、請求項４または５に記載の注射器。
【請求項７】
一秒毎にふたつのセグメントが起動されることを特徴とする、請求項４〜６に記載の注射器。
【請求項８】
前回注射した用量の数の量とこれらの用量間の時間間隔と注射に使用するインシュリンのタイプを有する情報を記憶するメモリーを備えていることを特徴とする、請求項１〜７のいずれかひとつに記載の注射器。
【発明の詳細な説明】
【０００１】
【発明の属する技術分野】
本発明は、用量設定機構と、設定用量を注射する注射動作を実行し得るボタンと、注射動作に応じて作動されるスイッチと、設定用量と最後に注射した用量とスイッチの作動からの経過時間などの適切なパラメーターの電子的表現を有しているタイプの注射器に関する。
【０００２】
【従来の技術】
通常、電子的表現は、設定用量と最後に注射した用量の薬の国際単位数を表わす数を表示する電子的ディスプレイの形態である。しかしながら、視覚障害者を考慮すると、電子的表現は数を表示する代わりにそれを発声する音声回路によって成されてもよい。あるいは、数は電子的手段や電子機械的手段によって触知可能なコードに変換されてもよく、または、数は外部手段たとえばＴＶスクリーンやＰＣモニター他による表現のための適当なインターフェースを介して伝達されてもよい。
【０００３】
【発明が解決しようとする課題】
インシュリンを定期的に注射しなければならない糖尿病患者は、最後に注射した用量の量だけでなく、最後の注射を行なってからどれくらいの時間が経過したかを知ることを望んでいる。
【０００４】
ＥＰ  ８７  ４９１から、インシュリン瓶用の収容箱と注射器とを有するキットが知られており、このキットは最後の注射の時間を手動で設定するタイマー装置を備えている。さらに、次の注射の時間を設定し、タイミング装置はこの次の注射の時間のときにアラームを鳴らすアラームクロックとして機能する。しかしながら、人々が短時間の内にひとつの時間帯から別の時間帯に移動し、時間帯内の時間が夏時間から冬時間に変わる世界では、時間の基準は定かでない。カウントダウンは、より適切ではあるが、アラームが鳴ったときに直ちに注射する準備をしない限り、例えば、アラーム設定がどれくらいの間隔であるか、またアラームが鳴ってから注射をするまでにどれくらいの時間が経過したか、といった処置すべき新しい時間計算を負うことになるという欠点を有している。
【０００５】
ＤＥ  ３８  ２４  ２１７から、用量を設定し注射する手段を備えた注射器が知られており、この注射器はタイマーと電子的中央ユニットを有し、これは用量設定・注射手段とタイマーに連結されていると共にメモリーを有しており、これには少なくとも最後に設定し注射した用量の時間と量が記憶される。計算され表示される情報は最後の注射から経過した時間である。
【０００６】
ＷＯ  ９０／０９２０２から、タイマーが注射の開始から注射が完了するまでの経過秒を計る注射器が知られている。しかし、この時間はさほど重要ではなく、組織が液を吸収するよりも速く液を注射するとすぐに気分が悪くなるので、使用者自身が注射速度を調整することが奨められる。
【０００７】
本出願の目的は、これらの問題を解決する注射器を提供することである。
【０００８】
本発明の別の目的は、いかなる好適な方法においてもパラメーターの表現を可能にする方法で電子的に表現される適切なパラメーターを得ることである。ＬＣＤディスプレイを選択したとき、ディジットは任意に大きくてもよく、これは、その大きさが表示されるパラメーターによって表現される機械的動作の大きさに依存しないからである。情報は、音やブライユ点字に変換されても、外部ディスプレイに転送されてもよい。
【０００９】
【課題を解決するための手段】
これは、請求項１に記述された注射器によって達成される。
【００１０】
ストップウォッチがスイッチの最後の動作すなわち最後の注射から経過した時間数を計るとき、使用者は最後の注射から経過した時間と最後の注射の量の分かり易い表示を得る。この方法では、使用者はこれらのパラメーターを考慮して次の用量を設定できる。
【００１１】
本発明によれば、ボタンの注射動作が完了したときにスイッチが作動されたときにストップウォッチがリセットされスタートされ、ウォッチは注射されたときに自動的にスタートする。
【００１２】
本発明の実施形態によれば、スイッチの作動の直後においては、ストップウォッチの状態は、前述の作動の後に経過した秒数を示すように表示される。これは、ボタンを深く押し込んだ後の数秒の間、使用者が注射針を刺したままにするのを促す。液は針による傷口から漏れるため、身体に吸収される用量は意図したよりも少なくなるが、前述したボタンを深く押し込んだ状態は、好ましいことに、針を引き抜く前に注射された液が組織内に取り込まれるようにし、また注射器により用量の全部が完全に供給されるようにする。この放置時間は、４ないし１０秒、好ましくは６秒が適当である。
【００１３】
本発明による注射器の実施形態によれば、ストップウォッチの状態の電子的表現は、注射の完了から経過した時間すなわちスイッチ作動後の時間に対応して起動するセグメントによって示される。
【００１４】
ストップウォッチの動作の最初の数秒の間は、電子的ディスプレイは、ボタンの注射動作が完了した後の数秒の間、患者が針を刺したままにするのを促すために用いてもよい。この促しは、ボタンの注射動作の完了の直後に、一秒経過する毎に一以上のセグメントを、目盛の全てのセグメントが起動するまで、起動し続けることで達成される。全てのセグメントが起動した後は、セグメントは、スイッチが作動された後つまり最後の注射が成されてから一時間経過する毎にひとつずつ起動される。
【００１５】
本発明の実施形態によれば、電子的ディスプレイはウォッチ目盛を構成する１２円セグメントを備えていて、スイッチの作動の後に一時間経過する毎にひとつのセグメントが起動され、これは順番に行なわれ、一時間後には１２時位置と１時位置の間のセグメントが起動され、二時間後には１時位置と２時位置の間のセグメントがさらに起動され、その後も同様に繰り返される。
【００１６】
同じウォッチ目盛は、都合良く、ボタンの深い押し込み後に一秒経過する毎にふたつのセグメントを起動するという違いをつけて、スイッチの作動後の最初の数秒間の進みを示すことに用いてもよい。最初に起動されるセグメントは、例えば、５時位置と６時位置の間にあるセグメントと６時位置と７時位置の間にあるセグメントであり、次のふたつのセグメントは７時位置と８時位置の間にあるセグメントと４時位置と５時位置の間にあるセグメントであり、その後も同様に繰り返され、目盛の下から始まり目盛の上へと時計回りと反時計回りに広がって、６秒間で全てのセグメントが起動される。ストップウォッチの動作の最初の数秒間において全てのセグメントが起動されると、それらは一旦停止され、その後、スイッチの作動から一時間経過する毎にひとつずつ起動される。
【００１７】
本発明による注射器の実施形態によれば、前記注射器は、前回注射した用量の数の量とこれらの用量間の間隔と注射に使用するインシュリンのタイプの情報を記憶するメモリーを備えていてもよい。
【００１８】
【発明の実施の形態】
図１は、本発明による設定用量と最後に注射した用量とストップウォッチの状態などのパラメーターの電子的表現を表示するディスプレイのディスプレイ窓の一実施形態を示している。ディスプレイ素子はひとつも起動されていない。この状態は、不調か寿命のために装置が動作していないときか、バッテリーを節約するために充電のあいだディスプレイが停止されているときだけに現われる。
【００１９】
例えば保護キャップを取り外すことにより装置を使用する準備が整うと、短い試験機能が働き、ディスプレイの全てのディスプレイ素子が働くことを確認するために、それらの全てが起動される。この状態を図２に示す。ディスプレイ素子は、設定用量を示すディジット１と、経過時間を示すためのセグメント２と、時間計測ストップウォッチが動作していることを示す目盛指示円３を有している。
【００２０】
注射器の用量設定機構を作動させると、ディスプレイは、設定用量の量を設定単位数を表現する数として示す図３に示される見た目へと変化する。注射を始めない限り、設定用量は変更できる。
【００２１】
用量が設定されると、注射器の針は使用者の皮下組織内に刺し込まれ、注射ボタンが深く押し込まれる。ボタンが完全に深く押し込まれると、スイッチが起動され、このスイッチは、ボタンの押し込みの完了後に経過した時間を計るストップウォッチを起動させる。図示のディスプレイを備えた実施形態では、注射が完了して、使用者が、注射が終了した後に数秒の間、針を刺したままにしておくことできるようになった瞬間から秒数を計り表示する。全ての用量が供給され注射液が針の傷口から押し出されることなく組織内に行き渡るのを確実にするため、注射が終了した後に５〜１０秒の間は針を組織内に留めておくことが推奨される。図４は五秒後のディスプレイを示しており、ボタンが深く押し込まれた後に一秒経過する毎にふたつのセグメントが起動され、それは注射が終了したことを伝えるものとして役立つ。セグメントの起動は目盛の下から始まって、一秒毎にふたつのセグメントずつ、つまり目盛の各側のひとつずつ、進行する。六秒後には全てのセグメントが起動され、そしてディスプレイは図５に示される状態へと変化する。ここでは、円３が起動されていて、注射の終了からの時間を計るストップウォッチが動作していることを示しており、経過時間は一時間に達しておらず、セグメントはまだひとつも起動していない。ディスプレイの表示は最後の注射の量と注射からの経過時間を示している。図６は２０単位の薬を注射した後の四時間後のディスプレイを示している。
【００２２】
ストップウォッチは、用量設定機構が作動される次の時間まで、動作し続ける。用量設定機構が作動するとディスプレイは図３の見た目へ変化し、ただ、ディスプレイは数「２０」ではなく、新しい設定用量の大きさを示す。
【００２３】
保護キャップをかぶせるとディスプレイは停止し、キャップを外すとディスプレイは起動する。起動するとき、ディスプレイは図２による試験の見た目を短く表示し、その後、最後の注射用量と注射からの経過時間を示している図６に示される見た目へと変わる。
【図面の簡単な説明】
【図１】ディスプレイ素子が全く起動していないディスプレイ窓を示している。
【図２】試験的に全てのディスプレイ素子を起動させた図１のディスプレイを示している。
【図３】設定用量の量を示している図１のディスプレイを示している。
【図４】注射ボタンを深く押し込んだ五秒後の図１のディスプレイを示している。
【図５】注射直後の図１のディスプレイを示している。
【図６】２０単位の薬の注射の四時間後の図１のディスプレイを示している。
【図１】
0004472026.tif 000002
【図２】
0004472026.tif 000003
【図３】
0004472026.tif 000004
【図４】
0004472026.tif 000005
【図５】
0004472026.tif 000006
【図６】
0004472026.tif 000007